Podtech/llm-jp-corpus-v4-ja_patent huggingface dataset:
(57)【要約】【課題】持ち運びや収納が行い易いソーラーパネル付き充電式ＬＥＤライトを提供する。【解決手段】ソーラーパネル２を可動式にすることにより、持ち運んだり収納する時にソーラーパネルを閉じることを可能とした。【選択図】図１
0003217369.tif 000002
【実用新案登録請求の範囲】
【請求項１】
充電式ＬＥＤライトに備えるバッテリーに充電を行うためのソーラーパネルを備えた充電式ＬＥＤライトにおいて、バッテリーに充電を行うソーラーパネルを可動式にすることにより開閉可能とし、充電時はソーラーパネルを開くことで効率的に充電を行い、持ち運んだり収納する時には、持ち運びや収納を行い易くするために、ソーラーパネルを閉じることを可能としたことを特徴とするソーラーパネル付き充電式ＬＥＤライト。
【考案の詳細な説明】
【技術分野】
【０００１】
本考案は、ソーラーパネルを備えた充電式ＬＥＤライトに関するものである。
【考案の概要】
【考案が解決しようとする課題】
【０００２】
本考案は、バッテリーを備えた充電式ＬＥＤライトにおいて、バッテリーに充電を行うためのソーラーパネルを備え、持ち運びや収納が行い易いソーラーパネル付き充電式ＬＥＤライトを提供することを目的とする。
【課題を解決するための手段】
【０００３】
本考案は、上記目的を達成するために、充電式ＬＥＤライトのバッテリーに充電を行うためのソーラーパネルを、可動式で開閉可能にすることで、ソーラーパネルにより充電を行うときは、ソーラーパネルを開くことで効率良く充電を行い、持ち運んだり収納する時は、ソーラーパネルを閉じることを可能とした。
【考案の効果】
【０００４】
上述のように、充電式ＬＥＤライトに備えるソーラーパネルを可動式にすることにより、持ち運んだり収納する時にソーラーパネルを閉じることで、持ち運びや収納が行い易くなる。
【図面の簡単な説明】
【０００５】
【図１】ソーラーパネルを開いた状態の斜視図である。
【図２】ソーラーパネルを閉じた状態の斜視図である。
【図３】ソーラーパネルを閉じた状態の背面図である。
【図４】ソーラーパネルを開いた状態の側面図である。
【図５】ソーラーパネルを９０度開いた状態の側面図である。
【図６】ソーラーパネルを閉じた状態の側面図である。
【符号の説明】
【０００６】
１  本体
２  ソーラーパネル
３  光源
４  スタンド
【図１】
0003217369.tif 000003
【図２】
0003217369.tif 000004
【図３】
0003217369.tif 000005
【図４】
0003217369.tif 000006
【図５】
0003217369.tif 000007
【図６】
0003217369.tif 000008
(57)【要約】      （修正有）【課題】耐久性を向上させる折り畳みが可能な家具の構造部材を提供する。【解決手段】折り畳み可能な家具１００の構造部材１は、所定方向に延びる主軸１０と、主軸１０に係合する従軸２１，２２と、を備え、従軸２１，２２は、一端側に、所定方向と直交する方向から、主軸１０に形成された孔を挿通可能な係合部を有し、係合部の外径は、主軸１０の孔の内径より小さい寸法であり、従軸２１，２２の係合部以外の部分のうち、少なくとも係合部他端に隣接する部分、主軸１０の孔の内径より大きい寸法である。【選択図】図１
0003217370.tif 000002
【実用新案登録請求の範囲】
【請求項１】
折り畳み可能な家具の構造部材であって、所定方向に延びる主軸と、主軸に係合する従軸と、を備え、従軸は、一端側に、所定方向と直交する方向から、主軸に形成された孔を挿通可能な係合部を有し、係合部の外径は、主軸の孔の内径より小さい寸法であり、従軸の係合部以外の部分のうち、少なくとも係合部他端に隣接する部分、主軸の孔の内径より大きい寸法である構造部材。
【請求項２】
従軸は、一端側が主軸を挟んで配置され、主軸の孔の内径より大きい外径である係止部材と螺合される請求項１に記載の構造部材。
【請求項３】
従軸は、一端側が主軸を挟んで配置された補助軸と係合可能であり、補助軸は、筒形状であり、内径が従軸に係合部の外径より大きい寸法であり、外径が主軸の孔の径より大きい寸法である。請求項1又は2に記載の構造部材。
【考案の詳細な説明】
【技術分野】
【０００１】
折り畳み可能な家具の構造部材に関する。
【背景技術】
【０００２】
従来、折り畳みが可能な例えば、アウトドアチェアの構造部材は主軸に設けられた接合部材に、例えば脚部として機能する従軸の端部を挿入していた。
【考案の概要】
【考案が解決しようとする課題】
【０００３】
しかしながら、従来のアウトドアチェアでは、従軸の端部に荷重がかかり、従軸におけるモーメントが増大し、劣化や損傷が発生し耐久性に優れない事が多かった。
【０００４】
本考察は、折り畳み可能な家具の構造部材における耐久性を向上させる事を目的とする。
【課題を解決するための手段】
【０００５】
折り畳み可能な家具の構造部材であって、所定方向に延びる主軸と、主軸に係合する従軸と、を備え、従軸は、一端側に、所定方向と直交する方向から、主軸に形成された孔を挿通可能な係合部を有し、係合部の外径は、主軸の孔の内径より小さい寸法であり、従軸の係合部以外の部分のうち、少なくとも係合部他端に隣接する部分、主軸の孔の内径より大きい寸法である構造部材。
【０００６】
従軸は、一端側が主軸を挟んで配置された補助軸と係合可能であり、補助軸は、筒形状であり、内径が従軸に係合部の外径より大きい寸法であり、外径が主軸の孔の径より大きい寸法である。請求項1又は2に記載の構造部材。
【０００７】
従軸は、一端側が主軸を挟んで配置され、主軸の孔の内径より大きい外径である係止部材と螺合される請求項１に記載の構造部材。
【考案の効果】
【０００８】
本考察は、折り畳み可能な家具の構造部材における耐久性を向上させる事が出来る。
【図面の簡単な説明】
【０００９】
【図１】本考案の実施形態に係る構造部材が適用された家具を示す図である。
【図２】本考案の実施形態に係る構造部材を説明する図である。
【考案を実施するための形態】
【００１０】
折り畳み可能な家具100の構造部材1は、所定方向に延びる主軸10と、主軸10に係合する従軸21,22と、を備え、従軸21,22は、一端側に、所定方向と直交する方向から、主軸10に形成された孔を挿通可能な係合部を有し、係合部の外径は、主軸10の孔の内径より小さい寸法であり、従軸21,22の係合部以外の部分のうち、少なくとも係合部他端に隣接する部分、主軸10の孔の内径より大きい寸法である。
【００１１】
従軸21は、一端側が主軸を挟んで配置され、主軸10の孔の内径より大きい外径である係止部材30と螺合される。なお、従軸21は、端部に補強部材21aを備え、補強部材を21aを介して、係止部材30と螺合されてもよい。
【００１２】
従軸22は、一端側が主軸10を挟んで配置された補助軸23と係合可能であり、補助軸23は、筒形状であり、内径が従軸22に係合部の外径より大きい寸法であり、外径が主軸10の孔の径より大きい寸法である。
【００１３】
脚部を組み立てる際は、脚部ポール内部の伸縮式のガイドロープに従い各孔に係合部を連結する。係合部に従軸21,22部分を挿入する。最も短い２脚部分が地面側となるよう組み立てた脚部を起こす。
この構造は、アルミニウム同士で連結をしているため、従来のプラスチック性の類似品よりも耐久性に優れている。また、従軸21,22部分に空いた孔に係合部を挿入して連結するため、組み合わせた際の安定性が高い。また、アルミニウム合金のため経年劣化にも強い。手入れの際もタオルで拭くだけでお手入れが出来る。
【符号の説明】
【００１４】
1 構造部材
10 主軸
21, 22  従軸
21a 補強部材
23 補助軸
30 係止部材
100 家具(アウトドアチェア)
【図１】
0003217370.tif 000003
【図２】
0003217370.tif 000004
(57)【要約】      （修正有）【課題】ゴム印判の文字等が上部から見え易く、しかも、美麗であり、保管・管理が容易にできるゴム印判を提供する。【解決手段】印台２をアクリル樹脂で構成したゴム印判において、印台２の底面部２ａに、印版に必要な文字３及び色彩４をＵＶプリンターで印刷して設け、印台２の底面部２ａに、印面材５を設ける。文字３、色彩４をそれぞれ単独に印刷するか、あるいは、文字と色彩３，４とを一体にＵＶプリンターで印刷して設ける。【選択図】図１
0003217967.tif 000002
【実用新案登録請求の範囲】
【請求項１】
印台（２）をアクリル樹脂で構成したゴム印判において、
該印台（２）の底面部（２ａ）に、印版に必要な文字（３）及び色彩（４）をＵＶプリンターで印刷して設け、
該印台（２）の底面部（２ａ）に、印面材（５）を設けた
ことを特徴とするゴム印判。
【請求項２】
前記印台（２）の底面部（２ａ）には、文字（３）、色彩（４）をそれぞれ単独に印刷するか、あるいは、文字と色彩（３，４）とを一体にＵＶプリンターで印刷して設けた
ことを特徴とする請求項１記載のゴム印判。
【請求項３】
前記印台（２）の上面部（２ｂ）の周囲に、面取り部（６）を設けた
ことを特徴とする請求項１または２記載のゴム印判。
【考案の詳細な説明】
【技術分野】
【０００１】
この考案は、ゴム印判に関し、特に、保管、管理に優れたゴム印判に関する。
【背景技術】
【０００２】
従来、ゴム印判は、住所、氏名（法人である場合には社名）、電話番号等を天然ゴム板からなる印面材に裏表逆に彫り、これを台木またはホルダーと呼ばれる木製の印台の下面に貼着して構成している。
【０００３】
また、近年、印台の素材を、アクリル樹脂製で構成した印台が開発され、該印台の下面に前記の住所、氏名（社名）、電話番号等を印刷して、捺印する際に向き（上・下方向）を逆に押さないよう構成したゴム印判が発売されている。
【０００４】
そして、着色したアクリル樹脂製の印台も開発され販売されているが、コストが高くなるものであった。
【０００５】
さらに、従来のゴム印判に変えて、連続気泡を有する多孔性材料を用いた印判も開発されている。例えば、特許文献１のように。
【先行技術文献】
【特許文献】
【０００６】
【特許文献１】特開２００２−２２５４０５号公報
【０００７】
しかしながら、このような構成のゴム印判は、連続して押印する際の押印作業を楽に行うための発明であった。
【考案の概要】
【考案が解決しようとする課題】
【０００８】
そこでこの考案は、ゴム印判の文字は上部から見え易く、色彩も上部あるいは斜め方向からも見え易く、しかも、美麗であり、保管・管理が容易にできるゴム印判を開発・提供することにある。
【課題を解決するための手段】
【０００９】
この考案のゴム印判は、印台をアクリル樹脂で構成したゴム印判において、該印台の底面部に、印版に必要な文字及び色彩をＵＶプリンターで印刷して設け、該印台の底面部に、前記印面材を設けたことを特徴とする。
【００１０】
また、前記印台の底面部には、文字、色彩をそれぞれ単独に印刷するか、あるいは、文字と色彩とを一体にＵＶプリンターで印刷することを特徴とする。
【００１１】
さらに、前記印台の上面部の周囲に、面取り部を設けたことを特徴とする。
【考案の効果】
【００１２】
この考案によると、ゴム印判の印台の下面に、文字と色彩をＵＶプリントで印刷しており、その都度、印台をひっくり返して、上・下方向を確認する必要がなく押印作業が楽に行える等の効果を奏する。
【００１３】
また、印台の下面に種々な色彩に着色するため、印台の底面部に貼り付けるクッション材、印面材は、上面部からは見えず、印台の透明なアクリル樹脂を透過して、印台の底面部に印刷した色彩が屈折して見られるため、美麗であり、しかも、印台ごとに異なった色彩を印刷することにより、上部からゴム印判の区別が出来、管理が容易にできる等の効果を有する。
【００１４】
さらに、印台の上面部に面取り部を設けたため、印刷する扁平な底面部とは区別が容易につき、間違わずに印刷でき、また、押印時に手が角部に当たらず長時間の連続押印作業であっても、掌を痛めない等の極めて有益なる効果を奏する。
【図面の簡単な説明】
【００１５】
【図１】この考案の一実施を示し（Ａ）は、平面図であり、（Ｂ）は、正面図であり、（Ｃ）は、底面図であり、（Ｄ）は、図（Ｂ）中ａ−ａの矢印方向から見た平面図であり、（Ｅ）は、側面図であり、（Ｆ）は、斜視図である。
【図２】この考案の他の実施例を示す斜視図である。
【図３】この考案のさらに、他の実施例を示す斜視図である。
【図４】この考案のさらに他の実施例を示す斜視図である。
【考案を実施するための形態】
【００１６】
以下、本考案について詳細に説明する。尚、この考案においては以下の記述に限定されるものではなく、この考案の要旨を逸脱しない範囲においては適宜変更可能である。
【実施例】
【００１７】
先ず、本願考案の一実施例を図面に基づいて説明すると、印台（２）をアクリル樹脂で構成したゴム印判において、該印台（２）の底面部（２ａ）に、印版に必要な文字（３）及び色彩（４）をＵＶプリンター（図示しない）で印刷して設け、該印台（２）の底面部（２ａ）に、前記印面材（５）を設けたことを特徴とするゴム印判から構成されるものである。
【００１８】
そして、前記印台（２）の底面部（２ａ）には、文字（３）、色彩（４）をそれぞれ単独に印刷するか、あるいは、文字と色彩（３，４）とを一体にＵＶプリンターで印刷することを特徴とするゴム印判である。
【００１９】
さらに、前記印台（２）の上面部（２ｂ）の周囲に、面取り部（６）を設けたことを特徴とするゴム印判である。
【００２０】
なお、前記印台（２）の形状は、一実施例に示した形状のほか、図２に示した直方体形状や、図３に示した板状であっても、図４に示した、略ドアノブ状の手持部を有する形状であってもよい。
【００２１】
また、前記ＵＶプリンターを用いて印刷する文字（２）と、色彩（４）は、一体に印刷しても、別々に印刷してもよいものである。
【００２２】
また、前記文字（３）とは、漢字、数字はもちろんのこと、平仮名文字、カタカナ文字、英文字などゴム印判に必要な文字はすべて含まれるものである。
【００２３】
さらに、色彩（４）は、単色であっても、グラデーションされたものでもよく、２色以上の色で模様のように構成したものであってもよい。
【００２４】
なお、前記印台（２）の底面部（２ａ）には、クッション材（７）を介して前記印面材（５）を設けた構成にしてもよいものである。
【産業上の利用可能性】
【００２５】
この考案のゴム印判、特に、保管、管理に優れたゴム印判の技術を確立し、実施することにより産業上利用可能性があるものである。
【符号の説明】
【００２６】
１    ゴム印判
２    印台
２ａ  底面部
２ｂ  上面部
３    文字
４    色彩
５    印面材
６    面取り部
７    クッション材
【図１】
0003217967.tif 000003
【図２】
0003217967.tif 000004
【図３】
0003217967.tif 000005
【図４】
0003217967.tif 000006
(57)【要約】      （修正有）【課題】どんな姿勢にも対応し、寝返りをうった時などにずれたりすることなく快適な休息がとれるアイピローを提供する。【解決手段】従来のアイピローの様に目元にのみクッション材を備えるのではなく、全面にクッション材を備え、ドーナツ型の形状を取ることで、どのような姿勢でも休息を取ることができる。また、ドーナツ型の形状を取ることで、目元に被せてアイピローや枕として使うだけでなく、首元に持ってきてマフラーの様に使用出来たり、スーツケース等の持ち手に引っ掛けて運ぶ等、利便性が向上する。【選択図】図１
0003217971.tif 000002
【実用新案登録請求の範囲】
【請求項１】
従来のアイピローの様に目元にのみクッション材を備えるのではなく、全面にクッション材を備え、ドーナツ型の形状を取ることで、どのような姿勢でも休息を取ることができる全方位型のアイピロー。
【請求項２】
ドーナツ型の形状を取ることで、目元に被せてアイピローや枕として使うだけでなく、首元に持ってきてマフラーの様に使用出来たり、スーツケース等の持ち手に引っ掛けて運ぶ等、利便性の高いアイピロー。
【考案の詳細な説明】
【技術分野】
【０００１】
本考案は自動車などの交通を用いる場合や、机の上等で休息を取る場合に使う全方位型のアイピローである。
【背景技術】
【０００２】
現在販売されているアイピローはアイマスクの様な形を取り、目にあたる前面のみクッション材が用いられている。
【０００３】
アイピローを顔に固定する為のゴム部分、つまり後頭部に当たる部分にもクッション材を入れてアイピローと枕の機能を両立できるようにした物も開発されている。この商品は角度をずらすことでネックピローとしても使用できる。
【考案の概要】
【考案が解決しようとする課題】
【０００４】
しかしながら、従来のアイピロー、もしくはネックピローは一面にのみしか対応できず、仰向け又はうつ伏せの姿勢の場合にしか有効な活用ができない。
【０００５】
また、頭に固定するゴム部分が緩かったりきつすぎたりすると休息を取っている間にずれてしまうため、十分な休息に繋がらなかったりずれる度に位置を調整し直す手間が発生する。
【０００６】
アイピローは自動車や電車乗車時の休息の際にも使用されるが、以上のような理由から、高い休息効果は得られなかった。
【０００７】
本考案は以上のような従来の欠点に鑑み、どのような姿勢にも対応し、休息中にずれたりすることなく快適な休息を叶えるアイピローの提供を目的としている。
【課題を解決するための手段】
【０００８】
本考案にかかる全方位型のアイピローはドーナツ状の形状を取り、全面にクッション材を入れている。
【０００９】
そのドーナツ状のアイピローを目元に持ってきたり、首元に持ってくるなど任意の位置に装着して使用する。
【考案の効果】
【００１０】
本考案の全方位型のアイピローはドーナツ型であるため、目元にクッション部分を合わせるというような装着の際の手間が発生しない。
【００１１】
全面にクッション材を入れている為、仰向けやうつ伏せ以外の姿勢、例えば横向きに顔を寝かせるというような姿勢でも楽な休息が取れる。
【００１２】
上記の理由から、アイピロー部分やネックピロー部分が休息中にずれるという事が無くなる為、休息中の不快感が解消される。アイピローやネックピローがずれたまま、無理な姿勢で休息を続けてしまう恐れも無くなり、寝返りも容易に打てる。
【００１３】
自動車や電車乗車時の椅子に腰かけた状態でも、全方位にクッションがあるため、快適に休息を取ることができる。
【００１４】
ドーナツ型の形状で上から被って使用する為、ネックピローやアイピローとして使う以外にもマフラーの様に使用することも可能である。
【００１５】
キャリーケース等の持ち手に引っ掛けておくことができ、旅行等の際に持ち運びがしやすい。
【００１６】
以上のことから、使用者にどんな姿勢でも不快感を抱かせることなく、休息以外に防寒具としての使用も可能にした持ち運びのしやすい全方位型のアイピローの提供を可能にした。
【図面の簡単な説明】
【００１７】
【図１】本考案の全体図を示す図である。
【図２】本考案の使用状態を示す図である。
【考案を実施するための形態】
【００１８】
本考案のアイピローを頭から被り任意の位置に固定して使用する。
【図１】
0003217971.tif 000003
【図２】
0003217971.tif 000004
(57)【要約】      （修正有）【課題】コーティングされた調理器具に代わり、鉄分を含んだ美味しい食品・飲料を作出する防錆処理を施した調理器具を提供する。【解決手段】煮炊きに使用する容器形状の鉄製調理器具３であって、主として鋳造により作製され、鉄壁・鉄底の鉄材１の表面の一部又は全部に強固な黒錆の酸化被膜２を有する。強い防錆効果のみならず、使用により調理品の味をまろやかにおいしくし、かつ鉄分の補給も可能とする。【選択図】図１
0003217933.tif 000002
【実用新案登録請求の範囲】
【請求項１】
表面の一部又は全部に黒錆の酸化被膜を有する鉄製の調理器具。
【考案の詳細な説明】
【技術分野】
【０００１】
本考案は、鋳抜き、金気抜手法を利用した酸化被膜（強固黒錆）仕様の鉄鋳物調理器具に関する。
【背景技術】
【０００２】
鉄につく錆には、赤錆（酸化第二鉄Fe2O3）と黒錆（四酸化三鉄Fe3O4）がある。赤錆は鉄を腐食させ徐々に破壊していく性質を有する。このため、近年の調理器具の鉄製品（鋼、鉄板加工品、鋳造品）には、テフロン（登録商標）、ホーロー加工、ダイヤモンドコーティング、窒化処理コーチング、塗装などが施され、赤錆の発生と調理品の焼き付きを防止している。
【０００３】
一方、黒錆は鉄の表面にできる酸化被膜であって、酸素や水から鉄本体を守り、赤錆の発生を抑える性質を有する。黒錆は自然発生することはなく、高温で熱することにより鉄の表面に膜として出現する。かつての鉄製フライパンや中華鍋の一部は、バーナーなどで熱し、冷却することによって発生する黒錆を赤錆防止として使用している。
【考案の概要】
【考案が解決しようとする課題】
【０００４】
テフロン（登録商標）、ホーロー加工、ダイヤモンドコーティング、窒化処理コーチング、塗装等、表面がコーティングされている調理器具は、赤錆と焼き付きを防止するが、使用した料理は、鉄器具から鉄分が溶け出さないため、鉄分補給ができず、美味しさに欠ける。一方、高級鉄瓶は内面を黒錆にすることにより、お湯の中に鉄分が溶け出すようになり、美味しいお茶を作ることができる。
【０００５】
上述の問題に鑑み、本考案においては、コーティングされた調理器具に代わり、鉄分を含んだ美味しい食品・飲料を作出する防錆処理を施した調理器具を提供することを課題とする。
【課題を解決するための手段】
【０００６】
鉄瓶の内部に使用される鋳抜き、金気抜き手法による黒錆は、かつて、フライパンに使用された黒錆よりも、厚く、強固に生成され、より強い防錆効果を有する。また、湯に鉄分を供給し、茶の味を高める。本考案に係る調理器具は、この原理を利用したものであって、主として鋳造により作製される。本調理器具は、鉄製の表面の一部又は全部に強固な黒錆の酸化被膜を有することを特徴とし、強い防錆効果のみならず、使用により調理品の味をまろやかにおいしくし、かつ鉄分の補給も可能とする。
【考案の効果】
【０００７】
黒錆の酸化被膜を有する調理器具の提供により、防錆のためのコーティングや塗装が不要となる。
【０００８】
鋳抜き、金気抜き手法による黒錆により、調理品の味をまろやかにおいしくし、かつ鉄分の補給も可能となる。
【０００９】
本考案に係る調理品の酸化被膜は強固で厚い黒錆のため、油等の浸透性がよく、コーティングや塗装のものと比較して、より確実な焼き付き防止が実現する。
【図面の簡単な説明】
【００１０】
【図１】本実施形態の調理器具の一例であるフライパンの写真である。円内はフライパンの表面に形成された黒錆による酸化被膜の模式図である。
【図２】本実施形態の調理器具の一例である炊飯具の写真である。
【図３】本実施形態の調理器具の一例である鍋の写真である。
【考案を実施するための形態】
【００１１】
以下、本考案に係る調理器具の実施形態について説明する。
【００１２】
本実施形態の調理器具は、鋳造による鉄製品であって、鋳込み、型開け後の表面処理を行うことにより、酸化被膜（黒錆）が形成される。
【００１３】
図１は、鋳造されたフライパンである。表面処理を摂氏５００度から７００度で行うことにより、表面に黒錆の酸化被膜が形成されている（図１円内）。
【００１４】
図２は、同じ手法で製造された小型の炊飯具である。表面処理の温度を摂氏７００度から１０００度とすることにより、黒錆の酸化被膜が形成されている。
【００１５】
図３は、同じく、表面処理の温度を摂氏７００度から１０００度とすることにより形成された黒錆の酸化被膜を有する鍋である（蓋部分は別方法により製造）。
【符号の説明】
【００１６】
１  鉄材
２  酸化被膜（黒錆）
３  鋳造フライパン
４  鋳造炊飯具
５  鋳造鍋
【図１】
0003217933.tif 000003
【図２】
0003217933.tif 000004
【図３】
0003217933.tif 000005
【手続補正書】
【提出日】平成30年7月11日(2018.7.11)
【手続補正１】
【補正対象書類名】実用新案登録請求の範囲
【補正対象項目名】全文
【補正方法】変更
【補正の内容】
【実用新案登録請求の範囲】
【請求項１】
煮炊きに使用する容器形状の鉄製調理器具であって、前記容器を構成する鉄壁・鉄底の一部又は全部の表面に黒錆の酸化被膜を有することを特徴とする調理器具。
(57)【要約】      （修正有）【課題】座面が小さい座席の座面を大きく改良し、ホールド性と快適性を改善できる座面拡張座席を提供する。【解決手段】小さい座席の座面１にスライド部４を介して伸縮する拡張部３を設ける。伸ばすと座面全体を大きくできホールド性と快適性の改善に役立つ。【選択図】図１
0003217932.tif 000002
【実用新案登録請求の範囲】
【請求項１】
座席の座面に伸縮する拡張部を設けることで、座面が小さい座席の座面を大きく改良することで、ホールド性と快適性を改善する座面拡張座席
【考案の詳細な説明】
【技術分野】
【０００１】  本考案は、座席の座面に伸縮する拡張部を設け座面を大きく改良し、ホールド性と最適性を改善する座席に関するものである。
【背景技術】
【０００２】  乗用車の格納式３列目シートは、主に跳ね上げ式と床下格納式の２方式がある。後者の床下格納式は、構造上座面が小さくなりホールド性が劣り快適性を犠牲にせざるを得なかったが短距離ドライブの実用上は十分であった。
【考案の概要】
【考案が解決しようとする課題】
【０００３】  乗用車の床下格納式シートは座面が小さく、中・長距離ドライブの快適性が損なわれるだけでなくエコノミー症候群を誘発する欠点があった。従って、座面を大きくし前述の欠点を解決しようとするものである。
【課題を解決するための手段】
【０００４】  本考案は、座面の前面に伸縮する拡張部を設けることで、座面が小さい座の座面を大きくし、問題点を解決している。
【考案の効果】
【０００５】  前述の様に、本考案の座面拡張座席は座面を大きくしホールド性を増すことで中・長距離ドライブの快適性を改善し、エコノミー症候群防止に役立つ。
【図面の簡単な説明】
【０００６】
【図１】本考案の座面拡張座席の一実施例を示す平面図である。
【図２】本考案の座面拡張座席の一実施例を示す左側面図である。
【考案を実施するための形態】
【０００７】  座面の前面に伸縮する拡張部を設けることでスライド式に出し入れでき、座席の厚みと格納性を損なわずに実現した。
【実施例】
【０００８】  以下、添付図面に従って一実施例を説明する。乗用車のミニバン格納式３列目シートの１は座面本体、２は背もたれを示す、３の拡張部を４のスライドで伸縮できるようにすることで伸ばすと座面全体が大きく改良できる。
【符号の説明】
【０００９】１  座面本体
２  背もたれ
３  拡張部
４  スライド部
【図１】
0003217932.tif 000003
【図２】
0003217932.tif 000004
(57)【要約】      （修正有）【課題】手提げ物の荷重の手先への負担軽減を成すロープ式のケアバンドで、腕と肩首に荷重を分散させる構成の手提げ荷重ケアバンドを提供する。【解決手段】本体とするロープ１の特定部に、腕マット２、肩首マット３、留め金具４を取付けたロープ式のバンドで、肩首から腕に巻きつけたロープ１を留め金具４に掛け装着固定する構造で、これに接続する付属のハンガーロープ７で支える手提げ荷重を腕、肩首にも分散させ手先への重負荷を軽減させる構成を特徴とする。【選択図】図２
0003217923.tif 000002
【実用新案登録請求の範囲】
【請求項１】
本体となるロープの特定部に、腕マット、肩首マット、留め金具を取付けたロープ式のケアバンドで、付属のハンガーロープで支える荷重を他局部へも分散させる構成を特徴とする、手提げ荷重ケアバンド。
【請求項２】
請求項１記載のケアバンドに取付けの留め金具は、バンドの固定装着と、付属のハンガーロープとを連結させる両機能の形態を成していることを特徴とする、手提げ荷重ケアバンド。
【請求項３】
請求項１記載のケアバンドの腕マットは二層で、袋状での取付けを成しているので、付属のハンガーロープや本体ロープの末端部も巻き込んで、収納ができるコンパクトさを特徴とする、手提げ荷重ケアバンド。
【請求項４】
請求項１記載のケアバンドの腕マット、肩首マットの素材には粗いメッシュ地を用い、接触局部への密着性と重圧を拡散させる効果を特徴とする、手提げ荷重ケアバンド。
【考案の詳細な説明】
【技術分野】
【０００１】  この考案は、ループ状のロープの特定部に腕、肩首マット、留め金具を取付けたロープ式のケアバンドで、付属のハンガーロープと連結し手提げ物の手先にかかる荷重を分散させて軽減を計る、手提げ荷重ケアバンドに関するものである。
【背景技術】
【０００２】  日常生活において、主婦や高齢者の買物は、食料品や飲料水等の手提げ物の荷重に些か労を要している。しかし、この現況をケアするような簡易な用具が現市場に見当たらない。
【考案の概要】
【考案が解決しようとする課題】
【０００３】  僅かな距離での運搬であっても、手提げ状態における手先の痛みやしびれ等が生じることの無いよう、荷重を他局部にも分散させケアすることを目的とした。
【課題を解決するための手段】
【０００４】  本体とするロープ式のケアバンドの肩首マット部を、持ち手の反対側肩首から袈裟がけし、そのロープを持ち手腕にマットをあてがいながら巻きつけ、留め金具に掛けて固定をする。この留め金具に付属のハンガーロープを連結し、これに掛ける手提げ物の荷重を腕、肩首部にも分散させ手先にかかる負荷の軽減を果たす。
【考案の効果】
【０００５】  このような構成により、手先にかかる荷重のケアができると共に、一時的な手離しも可能とし、降雨時等は片手への荷まとめによって傘利用もでき利便である。又、比較的に簡単な構成と素材での製作ができ、幅広くの人に安価な商品提供が望める。
【図面の簡単な説明】
【０００６】
【図１】  本考案の手提げ荷重ケアバンドの本体と付属品の平面図である。
【図２】  本考案手提げ荷重ケアバンドの見取図と実施図である。
【考案を実施するための形態】
【０００７】  本考案は〔図１〕で示すようなロープ１を２  の両隅孔に通し、特定部に３を縫い合わせ、その１の先端部に４を装着、付属のハンガーロープ７の両端には５、６を装着し、４、５の連結により荷重ケアバンドとしての用途を果たす構成となる。
【実施例１】
【０００８】  手提げ物の手先への負荷が軽減できることにより、買物時の必須アイテムとして携帯利用ができる。
【実施例２】
【０００９】  旅行や外出で手持ちバッグに利用時、一時的な手離しが可能となるので、切符や小銭の出し入れ等もた易く利便である。
【実施例３】
【００１０】    肩首マット部を医療用のマグネット入りにアレンジすれば、直あてによる常時の装着により、首筋への磁気効果を得ることもできる。
【符号の説明】
【００１１】  １  ロープ
２  マット（Ａ）
３  マット（Ｂ）
４  留め金具（Ａ）
５  留め金具（Ｂ）
６  ハンガー金具
７  ハンガーロープ
【図１】
0003217923.tif 000003
【図２】
0003217923.tif 000004
【手続補正書】
【提出日】平成30年5月14日(2018.5.14)
【手続補正１】
【補正対象書類名】実用新案登録請求の範囲
【補正対象項目名】全文
【補正方法】変更
【補正の内容】
【実用新案登録請求の範囲】
【請求項１】
本体とするロープの特定部に、腕マット、肩首マット、留め金具を取付けたロープ式のバンドで、肩首から腕に巻きつけたロープを留め金具に掛け装着固定する構造で、これに接続する付属ロープで支える手提げ荷重を腕、肩首にも分散させ手先への重負荷を軽減させる構成を特徴とする、手提げ荷重ケアバンド。
【請求項２】
請求項１記載のロープ式バンドで、本体に取付けの留め金具は、肩首、腕に巻きつけたロープの装着固定を成すための湾曲した突起部と、付属のハンガーロープ留め金具を掛けるバー部とを持ち合わせた両役を担う形態を特徴とする、手提げ荷重ケアバンド。
【請求項３】
請求項１記載のロープ式バンドの腕マットは、二層の袋状での取付けを成しているので、付属のハンガーロープや本体ロープの末端部も巻き込んで収納できるコンパクトさを特徴とする、手提げ荷重ケアバンド。
【請求項４】
請求項１に記載のロープ式バンドに取付けの腕マット、肩首マットの素材には粗いメッシュ布地を用い、接触局部への密着性と重圧を拡散させる効果を特徴とする、手提げ荷重ケアバンド。
(57)【要約】      （修正有）【課題】床面に尿が漏れ、尿が流れるのを防ぎ、尿臭を防止すると共に吸水性素材や防水性素材を利用し、使用者の足元に尿が付く事を防ぎ、衛生的に継続使用ができるトイレマットを提供する。【解決手段】洋式便器の足元に敷くトイレマットにおいて尿を吸い取る吸収性素材と内部に防臭シートを備えると共に床面４にしみない防水性素材を有する。基材表面上に帯状突起２と帯状突起の間に間隔を開けその間を溝とし形成する、この溝に尿を受ける受け部を設け、更に周縁を立設する事により内部の尿が床面に流れるのを防ぎ、汚れたマット本体１をそのまま洗濯が出来る。トイレマットの開口部３、便器の輪郭に沿ってゴム付与された周縁を立設する事により開口部を安定させ位置ズレを防ぐ。マット裏面には滑り止め防止機能としてゴム付与されている。【選択図】図１
0003217926.tif 000002
【実用新案登録請求の範囲】
【請求項１】
洋式便器の足元に敷くトイレマットにおいて尿を吸い取る吸収性素材と内部に防臭シートを備えると共に床面にしみない防水性素材を有することを特徴とするトイレマット。
【請求項２】
基材表面上に帯状突起を形成し、この溝に尿を受ける受け部を形成し尿が床面に流れるのを防ぎ、そのまま洗濯が出来るのが特徴とする請求項２に記載のトイレマット。
【請求項３】
トイレマットの開口部、便器の輪郭に沿って厚めのズレ防止を特徴とする請求項１又は２に記載のトイレマット。
【請求項４】
マット裏面には滑り止め防止機能、ゴム付与されていることを特徴とする請求項３の記載のトイレマット。
【考案の詳細な説明】
【技術分野】
【０００１】  本考案は吸収性素材や防水性素材を利用し全基材表面上に、帯状突起で形成されていることにより床面に尿が流れるのを防ぎ床面に飛散するのを吸収することができるトイレ用マットに関するものである。
【背景技術】
【０００２】  介助中に着脱の失敗によりマット上に失禁した場合、尿が床面に流れたり床面に漏れたり等、飛散した際の吸収効果と容易に洗い替えが可能で衛生的に使用できるように構成されるものである。
【考案の概要】
【考案が解決しようとする課題】
【０００５】  排泄介助に係る負担が大きく床面に尿の漏れ、尿の流れを防ぎ、尿臭を防止すると共に吸水性素材や防水性素材を利用し、使用者の足元に尿が付く事を防ぎ、衛生的に継続使用ができるように構成されている。
【課題を解決するための手段】
【０００６】  吸水性素材や防水性素材を一体化し表面に突起物を作り尿の流れを防止、床面には合成ゴム素材を利用し基材表面上に帯状突起によって形成されている帯状の溝を備えており飛散した尿が集められるように効果的に吸収することができる、さらに合成ゴム素材を利用し滑り止め効果を図り転倒防止に繋がる。
【考案の効果】
【０００７】  吸水性素材や防水性素材を一体化し防臭シートを敷設しているので、飛散した尿を効果的に吸収することができると共に尿の臭いを効果的に吸収することが可能となるためトイレ床面の汚染範囲が狭まり、介護負担軽減することができる。
【図面の簡単な説明】
【０００８】
【図１】本考案の介護負担軽減トイレマットの左側面図である、左側面図とした場合にマットの開口部の長さを記す物である。
【図２】トイレマットの一部断面図。
【産業上の利用可能性】
【０００９】自宅は勿論、介護施設・グループホーム・デイサービス、その為の考案である。
【符号の説明】
【００１０】１  マット本体
２  突起物
３  マットの開口部分
４  床面、断面図
【図１】
0003217926.tif 000003
【図２】
0003217926.tif 000004
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
洋式便器の足元に敷くトイレマットにおいて尿を吸い取る吸収性素材と内部に防臭シートを備えると共に床面にしみない防水性素材を有することを特徴とするトイレマット。
【請求項２】
基材表面上に帯状突起と帯状突起の間に間隔を開けその間を溝とし形成する、この溝に尿を受ける受け部を設け、更に周縁を立設する事により内部の尿が床面に流れるのを防ぎ、汚れたマット本体をそのまま洗濯が出来るのが特徴とする請求項１に記載のトイレマット。
【請求項３】
トイレマットの開口部、便器の輪郭に沿ってゴム付与された周縁を立設する事により開口部を安定させ位置ズレを防ぐ事を特徴とする請求項１又は２に記載のトイレマット。
【請求項４】
マット裏面には滑り止め防止機能としてゴム付与されていることを特徴とする請求項３の記載のトイレマット。
(57)【要約】      （修正有）【課題】貼り付けた剥離式粘着テープの保護シートの端の一方に、はがし口を設けたはがし口付剥離式粘着テープを提供する。【解決手段】剥離式粘着テープの保護シート１の端の一方に、はがし口用の切れ目２を入れて保護シート３を残せるようにした。【選択図】図１
0003217946.tif 000002
【実用新案登録請求の範囲】
【請求項１】
剥離式粘着テープの保護シート（１）の端の方に、はがし口用の切れ目（２）を設けて保護シートの一部（３）を残して貼り付けできないようにした、はがし口付剥離式粘着テープ。
【考案の詳細な説明】
【技術分野】
【０００１】  この実用新案は、剥離式粘着テープの保護シートを、つまめる幅ほど残すための切れ目を設けた、剥離式粘着テープに関するものである。
【背景技術】
【０００２】  従来、剥離式粘着テープの保護シートは切れ目が中央の一ヶ所だけで、全面貼り付ける様になっている。
【先行技術文献】
【特許文献】
【０００３】
【特許文献１】
【考案の概要】
【考案が解決しようとする課題】
【０００４】  例えば、医療現場で次のような欠点があった。
貼付用局所麻酔剤テープの保護シートの切れ目が中央に入っていて左右を順にはがして、全面を貼り付けるようになっているので注射針を刺す直前にはがす時に、貼り付いている極薄テープのはがし口をさがすのに、看護師が苦労していたし、患者も皮膚をつままれたりして痛い思いをしたうえに、内出血することもある。
医療現場以外でも、はがすのに苦労することが多かった。
本実用新案は、以上の様な欠点をなくすためになされたものである。
【課題を解決するための手段】
【０００５】  剥離式粘着テープの保護シート（１）の端の一方に、はがし口用の切れ目（２）を入れて、保護シートをつまみ用（３）として残せるようにする。
【考案の効果】
【０００６】  保護シートに、はがし口を付けることにより医療現場で看護師が、すぐに貼付用局所麻酔剤テープのはがし口を見つけることができ、簡単につまむことができる。又、患者も皮膚をつままれたりして痛い思いをしたうえに内出血もしないで済む。
端の一部のはがし口部分が、麻酔効果がなくなるのは狭い範囲なので差し支えない。又、全面貼付したい時は、はがし口部分の保護シートをはがせば貼り付けることができるので差し支えない。
【図面の簡単な説明】
【０００７】
【図１】本実用新案の斜視図である。
【図２】本実用新案の側面図である。
【図３】本実用新案の分解側面図である。
【考案を実施するための形態】
【０００８】  以下、本実用新案を実施するための形態について説明する。
剥離式粘着テープの保護シート（１）の端の一方に、はがし口用の切れ目（２）を設ける。
本実用新案は以上のような構造である。これを使用するときは、はがし口用の切れ目（２）から端の方の保護シート（３）を残した状態で貼り付ける。
はがす時は残した保護シート（３）をつまんで剥離式粘着テープ（５）といっしょにはがす。
全面貼り付けたい場合は、はがし口部分の保護シート（３）をはがせば貼り付けることができる。
【符号の説明】
【０００９】１  剥離式粘着テープの保護シート
２  はがし口用の切れ目
３  保護シートがつまみ用として残る部分
４  従来からある切れ目
５  剥離式粘着テープ
【図１】
0003217946.tif 000003
【図２】
0003217946.tif 000004
【図３】
0003217946.tif 000005
(57)【要約】【課題】帽子本体とユーザの頭部とに複数の立体フロー空間を形成し、帽子内の空間で空気を流動させて通気性を高めてユーザが快適に被れるエアフロー帽子構造を提供する。【解決手段】エアフロー帽子構造は、帽子本体１と、前記帽子本体１の内側に配設され、前記帽子本体１とともに気体を流動させる空間を形成する少なくとも１つの立体通気ネット２とを備える。前記帽子本体１上には、複数の前記立体通気ネット２が配設される。【選択図】図１
0003217912.tif 000002
【実用新案登録請求の範囲】
【請求項１】
帽子本体と、
前記帽子本体の内側に配設され、前記帽子本体とともに気体を流動させる空間を形成する少なくとも１つの立体通気ネットと、を備えることを特徴とするエアフロー帽子構造。
【請求項２】
前記帽子本体上には、複数の前記立体通気ネットが配設されることを特徴とする請求項１に記載のエアフロー帽子構造。
【考案の詳細な説明】
【技術分野】
【０００１】
本考案は、帽子本体の内側に１つ又は複数の立体通気ネットが配設され、帽子本体とユーザの頭部とに複数の立体フロー空間を形成し、帽子内の空間で空気を流動させて通気性を高めてユーザが快適に被れるエアフロー帽子構造に関する。
【背景技術】
【０００２】
従来の帽子は、エアフローの機能を備えておらず、関連分野でもそのような製品は無かった。
【考案の概要】
【考案が解決しようとする課題】
【０００３】
本考案の主な目的は、通気性を高めてユーザが快適に被れるエアフロー帽子構造を提供することにある。
【課題を解決するための手段】
【０００４】
上記課題を解決するために、本考案の第１の形態によれば、帽子本体と、前記帽子本体の内側に配設され、前記帽子本体とともに気体を流動させる空間を形成する少なくとも１つの立体通気ネットと、を備えることを特徴とするエアフロー帽子構造が提供される。
【０００５】
前記帽子本体上には、複数の前記立体通気ネットが配設されることが好ましい。
【図面の簡単な説明】
【０００６】
【図１】図１は、本考案の一実施形態に係るエアフロー帽子構造を示す斜視図である。
【図２】図２は、本考案の一実施形態に係るエアフロー帽子構造の使用状態の説明図である。
【考案を実施するための形態】
【０００７】
図１及び図２を参照する。図１及び図２に示すように、本考案の一実施形態に係るエアフロー帽子構造は、帽子本体１と、帽子本体１上に配設された少なくとも１つの立体通気ネット２と、から構成されてなる。
【０００８】
図１及び図２に示すように、本考案の一実施形態に係るエアフロー帽子構造の帽子本体１の内側には、１つ又は複数の立体通気ネット２が配設されている。これにより帽子本体１とユーザの頭部とに１つ又は複数の立体導流空間が形成され、帽子内の空間で空気を流動させて通気性が高いため、快適に被ることができる。
【０００９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１０】
１  帽子本体
２  立体通気ネット
【図１】
0003217912.tif 000003
【図２】
0003217912.tif 000004
(57)【要約】      （修正有）【課題】巻取りカバー用テンショナーを提供する。【解決手段】直動する機械移動体１の両側に設置された巻取りシート天２、巻取りシート地３と機械移動体１の動きに追従させるための張力部材５を含んだテンションシート４から構成される機械ドリブン式巻取りカバーの、張力部材５の代替、又は併用する形で設置するテンショナーであってテンションシート４を少なくとも１つ以上の圧縮バネ７を備えたテンショナー８と、シートの折り返し部分に設置された少なくとも１つ以上のプーリー９に掛けることによって、テンションシート４のテンション効果を維持させる。【選択図】図２
0003217983.tif 000002
【実用新案登録請求の範囲】
【請求項１】
直動する機械移動体1の両側に設置された巻取りシート天2、巻取りシート地3と機械移動体1の動きに追従させるための張力部材5を含んだテンションシート4から構成される機械ドリブン式巻取りカバーの、張力部材5の代替、又は併用する形で設置するテンショナーであって、テンションシート4を少なくとも1つ以上の圧縮バネ7を備えたテンショナー8と、シートの折り返し部分に設置された少なくとも1つ以上のプーリー9に掛けることによって、テンションシート4のテンション効果を維持させることを特徴とした巻取りカバー用テンショナー
【請求項２】
前記、テンショナー8は、プーリー11を備えたスライダー12を、圧縮バネ7に入れ込んだガイド棒10に通して構成されることを特徴とした請求項1に記載の巻取りカバー用テンショナー
【考案の詳細な説明】
【技術分野】
【０００１】
本考案は、主として工作機械の保護カバー、その他一般産業機械の保護カバーとして活用するものに関する。
【背景技術】
【０００２】
直動する機械の動きに追従させ、回転ドラム6に巻き付けた巻取りシート天2、巻取りシート地3を巻き付けたり引き出したりしてストロークさせて使用する巻取りカバーに於いて、回転ドラム6が回転しようとする力は、これまで回転ドラム内に設置したコイルバネ及びゼンマイバネをバネの巻き方向と同じ方向に回転させて捩る又は絞ることで回転させた方向とは逆方向に回転しようとする力を利用する事で回転ドラムが回転する力を得ていた。
巻取りカバーの主な用途である工作機械の保護カバーは、近年の著しい工作機械の大型化と高い稼働率に伴い、ロングストローク、高耐久性が必要とされる。回転ドラム内に施工したバネを用いた巻取りカバーのロングストロークの使用においては、バネの耐久性の問題で条件によっては早期に破損するといった問題があった。
【考案の開示】
【考案が解決しようとする課題】
【０００３】
上記、問題点を解消する目的で出願人は、出願番号実用新案・２０１４−００４４９６にて直動する機械移動体の両側に設置された巻取りカバーと機械移動体の動きに追従させるための張力部材を含んだテンションシートから構成される機械ドリブン式巻取りカバーを提案した。
【０００４】
上記の方法は、実用化で良好な結果が得られている。しかしながら、この方法では巻取りカバーのスムーズな作動を補助する為の部品である張力部材は、巻取りカバーの作動に連動して移動する為、張力部材の大きさによっては機械側の部品等への干渉が生じる問題があった。
【課題を解決するための手段】
【０００５】
本考案はかかる問題を解決するため鋭意研究し得られたもので、巻取りカバー用テンショナーに関するものであり、張力部材5の代替としてテンションシート4を少なくとも1つ以上の圧縮バネ7を備えたテンショナー8と、折り返し部分に設置された少なくとも1つ以上プーリー9に掛けることによって問題を解決している。
【０００６】
前記、テンショナー8は、プーリー11を備えたスライダー12を、圧縮バネ7を通したガイド棒10に通してスライドさせることで、圧縮バネ7の圧縮する力利用できることができる。
【考案の効果】
【０００７】
従来の張力部材5のみを使用した場合では比較的サイズが大きなバネ等の張力部材が必要であり、場合によっては巻き取りカバーの作動と連動して移動する際に、張力部材が機械側の部品等に干渉していたが、本考案のテンショナーを用いることでテンション効果を維持すると共に移動部分の張力部材を無くすことができるため、機械側の部品等への干渉が無くなった。また、張力部材5を併用する場合においても張力部材5は補助的なものになる為サイズ的にも小さくでき、機械側の部品等への干渉のリスクも軽減される。
【図面の簡単な説明】
【０００８】
【図１】機械ドリブン式巻取りカバーの構造に関する斜視図
【図２】請求項1に記載の巻取りカバー用テンショナーを設置した機械ドリブン式巻取りカバーの構造に関する図
【図３】請求項1に記載の巻取りカバー用テンショナーの構造に関する図
【図４】請求項1に記載の巻取りカバー用テンショナーの構造に関する図で、圧縮バネ7とガイド棒10がそれぞれ1個ずつで構成されたもの
【実施例】
【０００９】
請求項1に記載の機械ドリブン式巻取りカバーの斜視図を図1に示す。図２に巻取りカバー用テンショナーを設置した機械ドリブン式巻取りカバーの構造に関する図を示す。
図３に本考案の主体となす巻取りカバー用テンショナーの構造に関する図を示す。
【００１０】
図３は本考案の主体となす巻取りカバー用テンショナーの構造に関するものであり、テンションシート4を少なくとも1つ以上の圧縮バネ7を備えたテンショナー8と、シートの折り返し部分に設置された少なくとも1つ以上プーリー9に掛けることで巻取りカバー用テンショナーは構成される。
【００１１】
前記、構成によりテンショナー8は、プーリー11を備えたスライダー12を、圧縮バネ7を通したガイド棒10に通してスライドさせることで、圧縮バネ7の圧縮する力利用できることができ、巻取りカバーが作動する際にテンション効果を維持させることが可能となる。
【００１２】
図４は図３と同じく本考案の主体となす巻取りカバー用テンショナーの構造に関するものであり、圧縮バネ7とガイド棒10がそれぞれ１個ずつの構成で実施した例である。
【符号の説明】
【００１３】
1    機械移動体
2          巻取りシート天
3          巻取りシート地
4          テンションシート
5          張力部材
6          回転ドラム
7          圧縮バネ
8          テンショナー
9          プーリー
10       ガイド棒
11       プーリー
12       スライダー
【図１】
0003217983.tif 000003
【図２】
0003217983.tif 000004
【図３】
0003217983.tif 000005
【図４】
0003217983.tif 000006